(57)【特許請求の範囲】
【請求項１】
戸枠（１２）に対して移動可能に配位された戸体（１１）を、戸体（１１）が所定の開放位置から閉鎖位置まで存在する間を自動閉鎖可能な戸体閉鎖装置において、
戸体（１１）と戸枠（１２）のうちのいずれか一方には閉鎖装置本体（２ａ）が設けられ、戸体（１１）と戸枠（１２）のうちのいずれか他方には、一時固定手段（２５）が設けられ、
上記の閉鎖装置本体（２ａ）には、回動軸（２１ａ）を中心として、戸体（１１）の、
上記自動閉鎖動作が開始する前における開放位置に対応する開放位置（Ｏ）と、戸体（１１）の閉鎖位置に対応する閉鎖位置（Ｃ）との間の範囲内において回動可能なアーム（２１）と、
上記の開放位置（Ｏ）から閉鎖位置（Ｃ）へアーム（２１）が回動するように、アーム（２１）を付勢するための付勢手段（２３）と、
アーム（２１）が開放位置（Ｏ）から閉鎖位置（Ｃ）へと回動する際において、このアーム（２１）の回動動作を減速させるための緩衝手段（２４）と、
上記のアーム（２１）、付勢手段（２３）、緩衝手段（２４）の各々を配置するケーシング（２２）とが設けられ、
上記の一時固定手段（２５）は、アーム（２１）の一部である固定部（２１ｂ）を、アーム（２１）の回動方向に不動とするように保持可能なものであり、
戸体（１１）の自動閉鎖が行われる際においては、一時固定手段（２５）に上記の固定部（２１ｂ）が保持され、その状態で付勢手段（２３）の付勢を受けてアーム（２１）が回動し、これにより、戸体（１１）が閉鎖されるものであり、
アーム２１が開放位置Ｏにある時、アーム（２１）は付勢手段（２３）によって付勢されていない中立状態にあり、
上記のアーム２１が開放位置（Ｏ）にある状態で、アーム（２１）に係合し、アーム（２１）の位置を開放位置（Ｏ）のまま保持することができるアーム位置保持手段（２７）が設けられていることを特徴とする戸体閉鎖装置。
【請求項２】
上記の付勢手段（２３）としてコイルばねが用いられ、
上記のアーム（２１）が開放位置（Ｏ）にある時、アーム（２１）の回動軸（２１ａ）と付勢手段（２３）の中心を通る仮想の軸とが一致して、アーム（２１）が付勢手段（２３）によって付勢されていない中立状態にあることを特徴とする請求項１記載の戸体閉鎖装置。
【発明の詳細な説明】
【技術分野】
【０００１】
本願発明は、戸体を閉鎖するための閉鎖装置に関するものである。
【背景技術】
【０００２】
【特許文献１】特開平１１−２００７０２号公報
【特許文献２】特公昭６１−１０６３１号公報
【０００３】
従来から、例えば引戸形式の戸体を閉鎖する際に、戸体に加えた力が大きすぎた場合、戸体が支持されている戸枠に対して、戸体が衝突し、衝撃音が発生したり、バウンドしてしまい完全に閉鎖できないことがあった。逆に戸体に加える力が小さすぎた場合、完全に扉が閉まらずに、途中で止まってしまうことがあった。
【０００４】
ここで、戸体を完全に閉鎖するために、ばねなどの付勢手段を備えた閉鎖装置が用いられることがある。
また、強すぎる力を緩和して緩やかに扉を閉じるようにした緩衝装置が設けられることがある。これらの緩衝装置は、衝撃を緩和するためのダンパーやばねを戸体や戸枠に取り付けたものであり、このダンパーなどの作用によって、戸体の急激な動作を緩和するものである。
また、特許文献１に示される緩衝装置のように、エアシリンダによって、同様の作用をなすものも存在している。
【発明の開示】
【発明が解決しようとする課題】
【０００５】
ところが、従来の閉鎖装置にあっては、戸体の全開位置から閉鎖位置までの全過程において、戸体を閉鎖方向に付勢しており、この付勢が人による戸体の閉鎖の動きを妨げる結果を招いていた。また、従来の緩衝装置にあっては、戸体を閉鎖するために戸体に加えられる力が弱い場合、ばねの付勢力や、ダンパーやエアシリンダの作動抵抗によって、戸体が途中で止まってしまい、完全に閉鎖できないことがあった。
【０００６】
ここで、従来の閉鎖装置の一例として、特許公報２に記載の発明「自動閉扉装置」が存在する。これは、扉枠に設けた金具に対して、扉に設けたＬ形レバーが保持されることにより自動的に扉を閉鎖できるものである。このＬ形レバーは、扉に対して回動可能に設けられており、ばねを内蔵した油圧シリンダーであるダッシュポットに接続されていることにより、Ｌ形レバーを減速しつつ回動させることができる。
【０００７】
ところが、この発明に係る閉鎖装置は、ダッシュポットの軸線とＬ形レバーの回動中心との位置関係を途中で転換させ、Ｌ形レバーに対するダッシュポットの引っ張り方向を切り替えることによって、Ｌ形レバーを扉の開放位置と閉鎖位置に対応した位置にそれぞれ固定させるものであるため、機構が複雑となることや、確実に動作させるために、高い工作精度が要求されるという問題があった。
また、ダッシュポットとは、ばねを内蔵した油圧シリンダーであって、この閉鎖装置の専用品として設計する必要があるという問題も有する。
上記の問題より、この特許文献２に記載の閉鎖装置の構造では、製造コストを低減することが困難であった。
【０００８】
ここで、本願発明は、戸体が閉まりきる直前の状態で少しだけ開いている場合に、完全に戸体を閉めるために作用し、大きく開いている場合には戸体を自由状態にしておくことができる閉鎖装置を提供することを課題とする。
また、本願発明は、戸体に加えられた外力が弱い場合であっても、戸体を完全に閉鎖することができ、逆に外力が強い場合には、緩衝して緩やかに閉めることができる引戸の閉鎖装置を提供することを課題とする。
また、本願発明は、簡易な構造とすることにより、製造コストの低減に貢献できる引戸の閉鎖装置を提供することを課題とする。
【課題を解決するための手段】
【０００９】
上記課題を解決するために、本願発明は、戸枠１２に対して移動可能に配位された戸体１１を、戸体１１が所定の開放位置から閉鎖位置まで存在する間を自動閉鎖可能な戸体閉鎖装置において、戸体１１と戸枠１２のうちのいずれか一方には閉鎖装置本体２ａが設けられ、戸体１１と戸枠１２のうちのいずれか他方には、一時固定手段２５が設けられ、上記の閉鎖装置本体２ａには、回動軸２１ａを中心として、戸体１１の、上記自動閉鎖動作が開始する前における開放位置に対応する開放位置Ｏと、戸体１１の閉鎖位置に対応する閉鎖位置Ｃとの間の範囲内において回動可能なアーム２１と、上記の開放位置Ｏから閉鎖位置Ｃへアーム２１が回動するように、アーム２１を付勢するための付勢手段２３と、アーム２１が開放位置Ｏから閉鎖位置Ｃへと回動する際において、このアーム２１の回動動作を減速させるための緩衝手段２４と、上記のアーム２１、付勢手段２３、緩衝手段２４の各々を配置するケーシング２２とが設けられ、上記の一時固定手段２５は、アーム２１の一部である固定部２１ｂを、アーム２１の回動方向に不動とするように保持可能なものであり、戸体１１の自動閉鎖が行われる際においては、一時固定手段２５に上記の固定部２１ｂが保持され、その状態で付勢手段２３の付勢を受けてアーム２１が回動し、これにより、戸体１１が閉鎖されることを特徴とする戸体閉鎖装置を提供する。
【００１０】
本願発明は、上記のケーシング２２が、戸体１１あるいは戸枠１２に取り付けるためのものであり、横方向の寸法よりも、縦方向の寸法の方が大きく形成されたものであることを特徴とするものとして実施することができる。
【００１１】
また本願発明は、戸体１１には閉鎖装置本体２ａが設けられ、戸枠１２には一時固定手段２５が設けられたものであって、戸体１１の上部には、上端面１１ｃから掘り下げられた取り付け溝１３が設けられており、この取り付け溝１３は、少なくとも、上記の上端面１１ｃと、戸体１１の左右いずれかの側の端面１１ａとが開口された状態にあり、閉鎖装置本体２ａは、この取り付け溝１３の底面１１ｂに埋め込まれるようにして取り付けられたものであり、取り付け溝１３の内面のうち、戸体１１の左右いずれかの側の端面１１ａにおける開口端部分が、木口カバー１４により覆われたものであり、この木口カバー１４は、上記開口端部分における取り付け溝１３の内面に沿う形状とされたことを特徴とするものとして実施することができる。
【００１２】
また、本願発明は、戸体１１には閉鎖装置本体２ａが設けられ、戸枠１２には一時固定手段２５が設けられたものであって、この一時固定手段２５は、戸枠１２に取り付けるためのベース部２５ｆを有し、このベース部２５ｆの、戸枠１２に対して当接する当接面２５ｆ１には、凹部２５ｇあるいは凸部が設けられており、戸枠１２には、上記の凹部２５ｇあるいは凸部と嵌まり合う凸部あるいは凹部が設けられていることを特徴とするものとして実施することができる。
【００１３】
また、本願発明は、戸体１１には閉鎖装置本体２ａが設けられ、戸枠１２には一時固定手段２５が設けられたものであって、この一時固定手段２５は、戸枠１２に取り付けるためのベース部２５ｆを有し、このベース部２５ｆの一端２５ｆ３を、戸枠１２の左右いずれかの端面１２ａに当接させることにより、戸枠１２に対する一時固定手段２５の位置決めが可能であることを特徴とするものとして実施することができる。
【００１４】
また、本願発明は、戸体１１には閉鎖装置本体２ａが設けられ、戸枠１２には一時固定手段２５が設けられたものであって、この一時固定手段２５は、戸枠１２に取り付けるためのベース部２５ｆを有し、上記の固定部２１ｂの保持は、一時固定手段２５に設けられた空間であるアーム固定溝２５ｃにてなされるものであって、このアーム固定溝２５ｃは、ベース部２５ｆの下方へと延びる第１壁２５ａと第２壁２５ｂとにより規定されたものであって、このアーム固定溝２５ｃが、ベース部２５ｆを上下方向に貫通して設けられたことを特徴とするものとして実施することができる。
【００１５】
また、本願発明は、戸体１１が、戸枠１２に対しての全開位置から、上記の自動閉鎖動作の開始前における開放位置までの間に存在する場合においては、アーム２１の一部である係合部２６ａが、閉鎖装置本体２ａに設けられたアーム位置保持手段２７に係合されることにより、アーム２１が開放位置Ｏに保持されるものであり、戸体１１の閉鎖動作によって、アーム２１の固定部２１ｂが一時固定手段２５に当接した後に、上記の係合部２６ａとアーム位置保持手段２７との間の係合が解除され、アーム２１が開放位置Ｏから閉鎖位置Ｃへの回動動作を開始することを特徴とするものとして実施することができる。
【００１６】
また、本願発明は、戸体１１が閉鎖位置から開放されつつある際において、アーム２１の固定部２１ｂが一時固定手段２５に、アーム２１の回動方向において不動に保持されることにより、アーム２１が閉鎖位置Ｃから開放位置Ｏへと回動することを特徴とするものとして実施することができる。
【００１７】
また、本願発明は、アーム２１が、基端に回動軸２１ａを、先端に固定部２１ｂを有するものであり、上記の回動軸２１ａと固定部２１ｂとの間には、付勢手段２３と緩衝手段２４とが連結されたものであり、係合部２６ａは、アーム２１の一部に設けられた凹部であり、アーム位置保持手段２７は板ばねからなり、アーム２１の方向へと突出した湾曲部２７ａを有し、この湾曲部２７ａは、上記のアーム２１の係合部２６ａと係合可能とされており、これにより、アーム位置保持手段２７が、アーム２１を開放位置Ｏで保持するものであり、閉鎖装置本体２ａには、アーム２１の一部と当接することにより、アーム２１の回動を制限するストッパー２２ａ，２２ｂが設けられたことを特徴とするものとして実施することができる。
【００１８】
また、本願発明は、戸枠１２に対して移動可能に配位された戸体１１を、戸体１１が所定の開放位置から閉鎖位置まで存在する間を自動閉鎖可能な戸体閉鎖装置において、戸体１１には閉鎖装置本体２ａが設けられ、戸枠１２には一時固定手段２５が設けられ、上記の閉鎖装置本体２ａには、回動軸２１ａを中心として、戸体１１の、上記自動閉鎖動作が開始する前における開放位置に対応する開放位置Ｏと、戸体１１の閉鎖位置に対応する閉鎖位置Ｃとの間の範囲内において回動可能なアーム２１と、上記の開放位置Ｏから閉鎖位置Ｃへアーム２１が回動するように、アーム２１を付勢するための付勢手段２３と、アーム２１が開放位置Ｏから閉鎖位置Ｃへと回動する際において、このアーム２１の回動動作を減速させるための緩衝手段２４とが設けられ、アーム２１には付勢手段取付部２１ｃが設けられており、この付勢手段取付部２１ｃに、付勢手段２３の上端２３ｂが取り付けられており、この付勢手段取付部２１ｃが受ける付勢手段２３による付勢力は、左右方向成分よりも、下方向成分の方が大きいものであり、この付勢手段取付部２１ｃは、アーム２１が上記の開放位置Ｏにある際には、アーム２１の回動軸２１ａに対して上方に存在し、アーム２１が閉鎖位置Ｃへと移動する際に、アーム２１の回動軸２１ａを中心として回動しつつ下方へと移動するものであり、上記の一時固定手段２５は、アーム２１の固定部２１ｂを、アーム２１の回動方向に不動とするように保持可能なものであり、戸体１１の自動閉鎖が行われる際においては、一時固定手段２５に上記の固定部２１ｂが保持され、その状態で付勢手段２３の付勢を受けてアーム２１が回動し、これにより、戸体１１が閉鎖されるものであって、戸体１１が、戸枠１２に対しての全開位置から、上記自動閉鎖動作の開始前における開放位置までの間に存在する場合においては、アーム２１の一部である係合部２６ａが、閉鎖装置本体２ａに設けられたアーム位置保持手段２７に係合されることにより、アーム２１が開放位置Ｏに保持されるものであり、戸体１１の閉鎖動作によって、アーム２１の固定部２１ｂが一時固定手段２５に当接した後に、上記の係合部２６ａとアーム位置保持手段２７との間の係合が解除され、アーム２１が開放位置Ｏから閉鎖位置Ｃへの回動動作を開始するものであり、アーム位置保持手段２７が、横方向に延びる板ばねとされており、アーム２１の係合部２６ａに対する付勢力が下方に作用することにより、上記の係合がなされるものであることを特徴とするものとして実施することができる。
【発明の効果】
【００１９】
本願発明に係る戸体閉鎖装置にあっては、戸体１１が所定の開放位置に存在する時、つまり戸体１１を閉鎖する過程における戸体１１が閉まりきる直前の状態では、戸体１１を閉鎖するために作用する。一方、戸体１１が大きく開いている場合には戸体１１を自由状態にしておくことができる。そして、一時固定手段２５にアーム２１の固定部２１ｂが保持された状態でアーム２１が付勢手段２３の付勢によって回動するため、戸体に加えられた外力が弱い場合であっても、戸体１１を確実に閉鎖することができ、かつ、その際、緩衝手段２４により減速がなされてアーム２１が回動するため、外力が強い場合であっても、戸体１１をゆっくりと安全に閉鎖することができたものである。
【００２０】
また、上記アーム２１、付勢手段２３、緩衝手段２４の各々を配置するケーシング２２が、横方向の寸法よりも、縦方向の寸法の方が大きい縦長形状とされたことにより、戸体１１あるいは戸枠１２への取り付けの自由度を高めることができる。
【００２１】
また、取り付け溝１３の内面のうち、戸体１１の左右いずれかの側の端面１１ａにおける開口端部分が、木口カバー１４により覆われたものとすることで、取り付け溝１３の端部がささくれ立ち、美感を損ねることを防止することができる。
【００２２】
また、上記一時固定手段２５のベース部２５ｆの、戸枠１２に対して当接する当接面２５ｆ１には、凹部２５ｇあるいは凸部が設けられており、戸枠１２には、上記の凹部２５ｇあるいは凸部と嵌まり合う凸部あるいは凹部が設けられているものとすることで、戸枠１２に対する一時固定手段２５の奥行き方向の位置決めを容易になすことができる。
【００２３】
また、上記ベース部２５ｆの一端２５ｆ３を、戸枠１２の左右いずれかの端面１２ａに当接させることにより、戸枠１２に対する一時固定手段２５の左右方向の位置決めを容易になすことができる。
【００２４】
また、上記アーム固定溝２５ｃが、ベース部２５ｆを上下方向に貫通して設けられたことにより、閉鎖装置本体２ａとの位置関係によって、アーム２１の先端である固定部２１ｂが上方に位置した場合であっても、固定部２１ｂが衝突してしまうことを回避でき、また、一時固定手段２５の上下寸法を、このベース部２５ｆの厚み分小さく形成することも可能であり、この一時固定手段２５が戸枠１２から突出しにくくできる。
【００２５】
また、上記アーム２１が、閉鎖装置本体２ａに設けられたアーム位置保持手段２７により開放位置に保持される構造とすることにより、簡易な構造とでき、製造コストの低減に貢献できる。
【００２６】
また、上記の固定部２１ｂが一時固定手段２５に、アーム２１の回動方向において不動に保持されることにより、アーム２１を閉鎖位置Ｃから開放位置Ｏへと確実に復帰させることができる。
【００２７】
また、上記アーム位置保持手段２７が、上記のアーム２１の係合部２６ａと係合可能な板ばねからなることより、簡易な構造とでき、製造コストの低減に貢献できたものである。また、アーム２１の一部と当接することで、アーム２１の回動を制限するストッパー２２ａ，２２ｂが設けられたことにより、緩衝手段２４を保護可能とできる。
【００２８】
また、戸体１１が所定の開放位置に存在する時、つまり戸体１１を閉鎖する過程における戸体１１が閉まりきる直前の状態では、戸体１１を閉鎖するために作用する。一方、戸体１１が大きく開いている場合には戸体１１を自由状態にしておくことができる。そして、一時固定手段２５にアーム２１の固定部２１ｂが保持された状態でアーム２１が付勢手段２３の付勢によって回動するため、戸体に加えられた外力が弱い場合であっても、戸体１１を確実に閉鎖することができ、かつ、その際、緩衝手段２４により減速がなされてアーム２１が回動するため、外力が強い場合であっても、戸体１１をゆっくりと安全に閉鎖することができる。
また、上記アーム２１が、閉鎖装置本体２ａに設けられたアーム位置保持手段２７により開放位置に保持される構造とすることにより、簡易な構造とでき、製造コストの低減に貢献できる。
【発明を実施するための最良の形態】
【００２９】
以下、図面に基づき本願発明の実施の形態の一例をとりあげて説明する。図１は引戸へ本例の戸体閉鎖装置を取り付けた状態を示す正面視の概略図であり、図３及び図５〜図７は本例の戸体閉鎖装置の構造及び動作を示す説明図である。
【００３０】
本例の閉鎖装置２は、図３に示すような構造であり、アーム２１、付勢手段２３、ダンパー２４、一時固定手段２５を有する。そのうち、アーム２１、付勢手段２３、ダンパー２４は、ケーシング２２の内部に設けられており、閉鎖装置本体２ａを構成する。
本例のケーシング２２は、横方向の寸法よりも、縦方向の寸法の方が大きく形成された縦長形状のものであって、これにより、戸体１１あるいは戸枠１２への取り付けの自由度が高められている。このケーシング２２の形状は、本例のような縦長形状に限られるものではなく、縦方向の寸法に比べて、横方向の寸法が同一あるいは大きく形成されたものであっても良い（図４参照）。なお、本願における縦横の方向表現は、図３に示した正面視における位置関係に基づくものである（本説明における方向の表現は、理解を容易にするためのものであり、これによって、本願発明が制限して理解されるべきではない）。
【００３１】
この閉鎖装置本体２ａは、本例においては、引戸形式の戸体１１の取付上面１１ｂの開口側端面１１ａ（図１に示した戸体１１の左側の端面）に近い側に１つ埋め込まれたものとされるが、例えば、破線で図示したように、戸体１１の開口側端面１１ａとは反対の端面（図１に示した戸体１１の右側の端面）に近い側にも閉鎖装置本体２ａが埋め込まれたものとし、戸体１１の１枚あたりで２つの閉鎖装置本体２ａを設けたものとしても良い。
また、戸体１１の形式についても、引戸形式に限られるものではなく、開き戸形式であっても良い。
つまり、戸体１１あるいは戸枠１２への閉鎖装置本体２ａの取り付けの態様は、本例で示したものに限定されることはなく、種々に変更して実施可能である。
【００３２】
具体的に、本例における戸体１１の取付上面１１ｂは、図１及び図２に示したように、戸体１１の上端面１１ｃから掘り下げられて形成された取り付け溝１３の底面とされている。この取り付け溝１３は、上記の上端面１１ｃと、戸体１１の左側である開口側端面１１ａとが開口された状態にある。このように取り付け溝１３を設け、それよりもさらに下方に閉鎖装置本体２ａを埋め込むように配位することにより、アーム２１などが戸体１１の外部に露出させないようにできる。よって、閉鎖装置２を取り付けても、引戸の美感を損ねることがない。
【００３３】
なお、戸体１１の上部に戸車を設けた構造を有する上吊り扉に使用する場合にあっては、戸体１１の取付上面１１ｂの開口側端面１１ａに近い側には戸車が設けられるため、干渉しないように、戸体１１の中央寄りに閉鎖装置本体２ａが設けられる。
なお、本説明において、戸体１１が設けられている戸枠１２とは、戸体１１を左右方向へと移動可能に配位させるためのレールや枠など、戸体１１を支持するものを指し、建築物における引戸の場合では、柱や壁も含むものである。
【００３４】
また、上記取り付け溝１３の内面のうち、戸体１１の開口側端面１１ａにおける開口端部分は、樹脂製の木口カバー１４により覆われる。この木口カバー１４は、取り付け溝１３の端部がささくれ立ち、美感を損ねることを防止するためのものであって、上記開口端部分における取り付け溝１３の内面に沿う形状とされたものである。
具体的に、この取り付け溝１３の内面は、図２（Ａ）に示すように、取り付け溝１３の底面である取付上面１１ｂの手前及び奥側に立ち上げられた側面１３ａ，１３ｂである。そして、木口カバー１４は、上記の取付上面１１ｂに当接する底部１４ａ、及び、この底部１４ａの上方に立ち上げられたものであり、上記の側面１３ａ，１３ｂに当接する側部１４ｂ，１４ｃを備えたものである。なお、取り付け溝１３の取付上面１１ｂの幅寸法と、木口カバー１４の底部１４ａの幅寸法とは一致しており、取り付け溝１３の側面１３ａ，１３ｂの上下寸法と、木口カバー１４の側部１４ｂ，１４ｃの上下寸法とは一致している。また、取り付け溝１３の側面１３ａ，１３ｂ同士の内寸法と、木口カバー１４の側部１４ｂ，１４ｃの外寸法とは一致している。
図２に示すように、本例の木口カバー１４は、断面形状が「コ」の字形で一定とされたものであるが、例えば図２（Ｂ）に示すように、端部を拡大して、戸体１１の開口側端面１１ａに当接するフランジ部１４ｄを形成したものとしても良い。
【００３５】
アーム２１は、上端がケーシング２２から突出するようにして、基端側（図示下端側）に設けられた回動軸２１ａを介し、ケーシング２２に取り付けられている。本例のアーム２１は、図示しないが、対向する２枚の板状体が重ね合わされたものとされている。
このアーム２１は、回動軸２１ａを中心に左右方向の所定範囲内において回動可能となっている。本例においては、このアーム２１の回動範囲の左端が開放位置Ｏ（図３に示した状態）、右端が閉鎖位置Ｃ（図７に示した状態）となり、それぞれ戸体１１の開放位置（本例においては、各図上において戸体１１が相対的に右側に移動した状態の位置）と閉鎖位置（本例においては、各図上において戸体１１が相対的に左側に移動した状態の位置）とに対応する。つまり、回動軸２１ａの位置を基準として、アーム２１の先端（図示上端）が図示左方にある場合が開放位置Ｏ、同右方にある場合が閉鎖位置Ｃとなる。
なお、アーム２１は、一時固定手段２５との位置関係に応じ、図９に示すように、上記の開放位置Ｏよりもさらに左方にも移動し得るものとされている。
【００３６】
本例において、上記のアーム２１の先端側（図示上端側）には、アーム２１を構成する、対向する２枚の板状体に挟まれるようにして、円筒状の固定部２１ｂが形成されており、この固定部２１ｂが、戸枠１２に設けられた一時固定手段２５、具体的には一時固定手段２５におけるアーム固定溝２５ｃに保持されることによって、戸体１１を自動的に閉鎖することができる。
なお、本例における固定部２１ｂは、軸部２１ｂ１と、軸部２１ｂ１の外側に配位され、この軸部２１ｂ１に対して回動可能とされたローラー部２１ｂ２とを有するものであって、後述するように、固定部２１ｂが一時固定手段２５のアーム固定溝２５ｃに配位された際において、このローラー部２１ｂ２が一時固定手段２５の左方壁２５ａや右方壁２５ｂに対して回動できるため、小さな抵抗で固定部２１ｂが上下動できる。
アーム２１の形状は本例のものに限定されず、例えば、図１１〜図１４に示したように、種々の形態での実施が可能である。また、本例においては、アーム２１の上端が固定部２１ｂとされているが、アーム２１の中間など、上端以外の箇所に固定部２１ｂを形成しても良い。
【００３７】
なお、本例においては、付勢手段２３やダンパー２４の動作範囲の関係、及び、閉鎖装置本体２ａをコンパクトにすることを目的として、アーム２１は、単純な直棒状ではなく、図示したように湾曲した形状とされている。具体的には、図３に示した状態において、基端側（図示下端側）である基端部２１ｘ、そして、基端部２１ｘの先端側で、図示左上方に連続する中間部２１ｙ、そして、中間部２１ｙよりも先端側へと連続し、図示やや下方へと方向を変えて延びる先端部２１ｚからなるものである。基端部２１ｘには、上記のように回動軸２１ａと、付勢手段取付部２１ｃを介して付勢手段２３が、ダンパー取付部２１ｅを介してダンパー２４がそれぞれ接続されている。また、先端部２１ｚには、上記の固定部２１ｂが設けられる。
【００３８】
上記の付勢手段２３の接続は、アーム２１に設けられた付勢手段取付部２１ｃに、付勢手段２３の上端２３ｂが取り付けられることによりなされる。ここで、この付勢手段取付部２１ｃは、アーム２１が開放位置Ｏにある際には、図３に示すように、アーム２１の回動軸２１ａに対して上方に存在し、アーム２１が閉鎖位置Ｃへと移動する際に、アーム２１の回動軸２１ａを中心として回動しつつ下方へと移動し、図７に示す状態へと至る。
【００３９】
アーム２１には係合部２６ａが設けられる。この係合部２６ａは、本例においては、アーム２１に設けられた凹部である。これは具体的には、アーム２１を構成する、対向して設けられた２枚の板状体に挟まれるように配位された、樹脂製の係合片２６に設けられた凹部である。なお、係合部２６ａの形状は、後述するアーム位置保持手段（板ばね）２７の湾曲部２７ａと一致するものとされている。また、本例の係合片２６は、アーム２１とは別の部材とされているが、アーム２１と当初から一体にされたものや、アーム２１の一部が折り曲げられて形成されたものであっても良く、種々に変更して実施し得るものであり、下記のアーム位置保持手段２７と係合し、アーム２１の位置を保持可能なものであれば良い。
【００４０】
一方、上記の係合部２６ａに対応するものとして、ケーシング２２にはアーム位置保持手段２７が設けられている。このアーム位置保持手段２７は、図３に示すように、アーム２１が開放位置Ｏにある時に、アーム位置保持手段２７の一部である湾曲部２７ａがアーム２１の係合部２６ａに係合し、アーム２１の位置を開放位置Ｏのまま保持することができるものである。
【００４１】
アーム位置保持手段２７は、本例では板ばね２７とされており、基端側（図示左端側）がケーシング２２に固定されたものである。
この板ばね２７は、アーム２１に向かうように突出して形成された湾曲部２７ａを有する。本例における具体的な板ばね２７の形状は、図３に示すように、アーム２１が開放位置Ｏにある場合において、ケーシング２２の図示左方に対して固定された部分から、まず図示右方へと延び、その先端側において、Ｖ字形に折り曲げられたものであり、この折り曲げられた部分が湾曲部２７ａとなる。そして、この湾曲部２７ａは、図３に示すように、上記のアーム２１に形成された凹部である係合部２６ａと係合可能とされている。
湾曲部２７ａと係合部２６ａとの係合は、板ばね２７の、アーム２１の係合部２６ａに対する付勢力が下方に作用することにより強固になされるため、アーム２１を開放位置Ｏで確実に保持することができる。なお、板ばね２７の上記の付勢力の方向は、アーム２１の回動方向と交差する方向であれば良いが、アーム２１の回動方向である円弧の開放方向寄りに付勢がなされる方が、アーム２１と板ばね２７との係合状態が外れにくいためより望ましい。
【００４２】
なお、本例においては、図３に示すように、アーム２１が開放位置Ｏにある時、アーム２１の回動軸２１ａと付勢手段２３の中心を通る仮想の軸とが上下方向にほぼ一致している。そのため、この状態のアーム２１は、付勢手段２３によって付勢されていない中立状態にあって、アーム２１には板ばね２７の付勢力のみがかかっている。よって上記のようになされた、板ばね２７の湾曲部２７ａとアーム２１の係合部２６ａとの係合は、戸体１１の移動に伴って、アーム２１の固定部２１ｂが一時固定手段２５の左方壁２５ａに当接するまでは（図５参照）、他の外力がかからない限り外れにくい。
【００４３】
上記の位置保持部２６ａとアーム位置保持手段２７の各々の形態は、アーム２１を開放位置Ｏに保持できるものであれば、本例のものに限定されるものではなく、種々に変更して実施し得る。例えば、図１１に示すように、アーム位置保持手段２７を、一端には当接部２７ｂ、他端には引掛部２７ｃを有し、当接部２７ｂと引掛部２７ｃとの間が、閉鎖装置本体２ａに回動可能に支持された支点２７ｄとされたものであって、この当接部２７ｂ、引掛部２７ｃ、支点２７ｄが三角形の位置関係にある略Ｖ字形とされたものとし、アーム２１が開放位置Ｏにある時に、引掛部２７ｂがアーム２１の位置保持部２１ｄを引掛け、アーム２１の位置を保持することができるものとしても良い。
また、図１２（Ａ）に示すように、位置保持部２１ｅをアーム２１の左側に突出するようにして設けられた、嵌合凸部２１ｅ１を備えた板状のものとし、アーム位置保持手段２７を、位置保持部２１ｅの嵌合凸部２１ｅ１と接する部分に嵌合凹部２７ｅを設け、アーム２１が開放位置Ｏにある時、アーム２１の嵌合凸部２１ｅ１とアーム位置保持手段２７の嵌合凹部２７ｅとが図１２（Ｂ）に示すように嵌合することにより、付勢手段２３の付勢に抗して、アーム２１の位置がそのまま保持されるものとしても良い。他に、アーム位置保持手段２７を、磁石を備えたものとし、アーム位置保持手段２７に対して磁力でアーム２１の一部を吸着させてアーム２１を保持するものとしても良い。
【００４４】
付勢手段２３は、回動軸２１ａを中心としてアーム２１が開放位置Ｏから閉鎖位置Ｃへ向かい回動するように付勢するものである。本例においては、この付勢手段２３としてコイルばねが用いられており、引張力を利用して付勢がなされる。この付勢手段２３の一端（下端）側２３ａは、ケーシング２２に対して取り付けられており、他端（上端）側２３ｂは、アーム２１の付勢手段取付部２１ｃに取り付けられる。ここで、図３に示すように、付勢手段２３は上下方向からやや右側に倒れた状態で配位されている。よって、アーム２１の付勢手段取付部２１ｃが受ける付勢手段２３による付勢力は、左右方向成分よりも、下方向成分の方が大きく、具体的には、付勢手段取付部２１ｃがやや左方寄りの下方向へ引っ張られることとなる。
本例では、図３に示すように、この付勢手段取付部２１ｃが、アーム２１の基端寄りに設けられたものであるが、アーム２１に対する付勢手段２３の取り付け方については、本例のものに限られるものではない。例えば、図１１〜図１３に示したものは、付勢手段取付部２１ｃをアーム２１の先端寄りに設けたものである。また、図１４に示したものは、付勢手段取付部２１ｃを回動軸２１ａよりも基端（図示下端）側に設けたものであるが、付勢手段２３をアーム２１の図示左側に設けたものである。このように、種々に変更して実施し得る。
また、付勢手段２３は本例のようなコイルばねに限られるものではなく、例えば、回動軸２１ａに取り付けられた渦巻ばねなど、他の種類のばねや、ゴムなどの弾性を有する樹脂を用いても良く、取り付ける場所も限定されるものではない。また、本例とは逆に、ばねの圧縮力を利用するものとしても良い。
また、図１０に示すように、付勢手段２３の一端側に位置調整手段２８を設けることにより、付勢手段２３の有する引張力や圧縮力を可変としても良い。図示したものは、コイルばね２３の下端２３ａが取り付けられた可動軸２８ａを調整ねじ２８ｂにより移動可能としておき、これにより、ケーシング２２に対するコイルばね２３の変位を調整可能としたものである。こうすることによって、アーム２１の移動速度を調整でき、これに応じ、戸体１１の閉鎖速度を調整することができる。
【００４５】
ダンパー２４は、アーム２１が開放位置Ｏから閉鎖位置Ｃへ向かう方向へと回動する際に、アーム２１の動作を減速させるための緩衝手段である。本例においては、ダンパー２４として直動式のダンパーが用いられており、アーム２１における、上記の付勢手段取付部２１ｃよりも先端側に位置するダンパー取付部２１ｅに、ダンパー２４に設けられた可動棒２４ａの先端が接続されており、アーム２１とダンパー２４との間で力の伝達がなされる。なお、本例におけるダンパー取付部２１ｅは、回動軸２１ａから比較的近い位置であって、回動軸２１ａから遠い位置に設けた場合よりもダンパー当接部２１ｅの移動距離を比較的小さくできるため、動作範囲（可動棒２４ａの移動範囲）の小さなダンパー２４を利用することができる。
【００４６】
後述するように、アーム２１の先端である固定部２１ｂが、図５に示すように、戸枠１２に設けられた一時固定手段２５のアーム固定溝２５ｃに保持された状態とされ、アーム２１が付勢手段２３に引っ張られるように付勢されることにより、アーム２１が閉鎖位置Ｃへ向かい移動する。これに伴い、閉鎖装置本体２ａが取り付けられた戸体１１が戸枠１２に沿って移動して閉鎖される。そしてこの閉鎖時において、アーム２１の開放位置Ｏ（図示左方）から閉鎖位置Ｃ（同右方）へ至るまでの回動動作がダンパー２４の緩衝作用によって減速されるため、戸体１１の移動も減速され、戸体１１の開口側端面１１ａが戸枠１２の端面１２ａに対して急に衝突することがなく、確実に閉鎖することができる。また、ダンパー２４によりアーム１２が急激に移動することがないため、戸枠１２に対して戸体１１がバウンドしてしまうこともない。
【００４７】
本例では、図３に示すように、ダンパー当接部２１ｅが、アーム２１の基端部２１ｘにおける、付勢手段取付部２１ｃよりも先端側に隣り合うようにして設けられたものであるが、アーム２１に対するダンパー２４の取り付け方については、本例のものに限られるものではない。例えば、図１１〜図１３に示すように、可動棒２４ａが、アーム２１とは直接連結されておらず、アーム２１の一部に当接することで力の伝達がなされるようなものとしても良い。また、図１４に示すように、ダンパー当接部２１ｅをアーム２１の先端側に設け、このダンパー当接部２１ｅに可動棒２４ａを連結したものとしても良い。また、ギアやリンクなどを介してアーム２１に対して間接的に連結したものであっても良く、種々に変更して実施し得る。また、上記の付勢手段２３と同様、このダンパー２４についても、緩衝能力を調整可能としておくことにより、戸体１１の閉鎖速度を調整することができる。
【００４８】
本願発明において用いられるダンパー２４は、アーム２１に連結されてアーム２１の動作を減速させるものであれば、どのような形態のものであっても良い。例えば、ダンパー２４として円形のもの（回転ダンパー）を、回動軸２１ａが中心となるようにアーム２１に直接取り付けても良い。
また、ダンパー２４は、アーム２１が左右いずれの方向に動作する場合でも緩衝作用を発揮するものであっても良いし、あるいは、ワンウェイクラッチが内蔵されたものとし、アーム２１が閉鎖位置Ｃへと（右方に）移動する際においては減速がなされ、開放位置Ｏへと（左方に）移動する際においては減速しないものであっても良い。
【００４９】
一時固定手段２５は、本例においては戸枠１２に取り付けられた部品であり、アーム２１を戸枠１２に対して一時的に固定するためのものである。本例においては、図３に示すように、ベース部２５ｆから下方に突出する第１突起２５１と第２突起２５２とを備え、第１突起２５１の右側面である左方壁２５ａと、第２突起２５２の左側面である右方壁２５ｂとに挟まれるようにして、下方に開口したアーム固定溝２５ｃを有するものとされている。つまり、アーム固定溝２５ｃは、ベース部２５ｆの下方へと延びる左方壁２５ａと右方壁２５ｂとにより規定されたものである。
【００５０】
また、この一時固定手段２５の下面には、図示右上がりの導入斜面２５ｅが形成されている。この導入斜面２５ｅは、閉鎖装置本体２ａと一時固定手段２５との上下のずれを吸収し、アーム２１の固定部２１ｂをスムーズにアーム固定溝２５ｃへと導入させることができるようにするためのものである。この導入斜面２５ｅの最下端は、アーム固定溝２５ｃの図示左側の下面である左下方壁２５ｄよりも高い位置に形成されている。これは、導入斜面２５ｅの下方をアーム２１の固定部２１ｂが通過し、アーム固定溝２５ｃへと導入されるためである。
なお、導入斜面２５ｅの下方をアーム２１の固定部２１ｂが通過する際、固定部２１ｂは、導入斜面２５ｅに対して、当接しても隙間を保つようにしても良い。ここで、図９に、閉鎖装置本体２ａと一時固定手段２５とが、図３に示したものよりも上下方向に接近して配位された場合を示す。破線で図示したように、開放位置Ｏにあるアーム２１の固定部２１ｂが、導入斜面２５ｅに当接しつつ、アーム固定溝２５ｃへと導かれる。
【００５１】
本例におけるベース部２５ｆは、図８（Ｃ）（Ｄ）に示すように、第１突起２５１及び第２突起２５２よりも幅寸法（奥行寸法）が大きく形成されたものであって、戸枠１２の下面１２ｂに当接可能な当接面２５ｆ１を有する。そして、ベース部２５ｆのうち、第１突起２５１よりも左方（図８（Ｂ）参照）の部分が延設部２５ｆ２とされる。この延設部２５ｆ２は、第１突起２５１の右側面である左方壁２５ａからベース部２５ｆの図示左端までの距離が、図７に示す閉鎖時における、アーム２１の固定部２１ｂのうちの左端の位置から戸体１１の開口側端面１１ａまでの距離に一致する寸法とされている。よって、図５に示すように、この延設部２５ｆ２の図示左端部分２５ｆ３を戸枠１２の端面１２ａに当接させることにより、戸枠１２に対する一時固定手段２５の左右方向の位置決めを容易になすことができる。
【００５２】
また、ベース部２５ｆの当接面２５ｆ１に位置合わせ用溝２５ｇを形成したものとしても良い。この位置合わせ用溝２５ｇは、図８（Ａ）（Ｄ）に示すように、当接面２５ｆ１の中央に、当接面２５ｆ１の長手方向に沿うようにして設けられたものであり、戸枠１２に設けられた凸部（図示しない）に合致させることにより、戸枠１２に対する一時固定手段２５の奥行き方向の位置決めを容易になすことができる。本例では位置合わせ用溝２５ｇとして実施しているが、これに限られず、断続的に凹部あるいは凸部が設けられ、戸枠１２には、上記の凹部あるいは凸部と嵌まり合う凸部あるいは凹部が設けられたものであっても良い。
【００５３】
また、アーム固定溝２５ｃは、図８（Ａ）〜（Ｃ）や、図３及び図５〜図７に破線で示したように、ベース部２５ｆを上下方向に貫通したものとされており、この貫通した部分が貫通穴２５ｈとされている。この貫通穴２５ｈは、本例では図８（Ａ）（Ｃ）に示したように、ベース部２５ｆに囲まれた略四角形の穴とされているが、これに限られるものではなく、例えば、側方に開放された形態の穴であっても良い。
【００５４】
この貫通穴２５ｈの形成により、図７に破線で示したように、閉鎖装置本体２ａとの位置関係によって、アーム２１の先端である固定部２１ｂが通常よりも上方に位置した場合であっても、ベース部２５ｆの厚み分の余裕があるため、固定部２１ｂが衝突してしまうことを回避できる。また、一時固定手段２５の上下寸法を、このベース部２５ｆの厚み分小さく形成することも可能であり、この一時固定手段２５が戸枠１２から突出しにくくできる。
【００５５】
また、第２突起２５２の図示左方部分には、図８（Ｃ）に示すように、幅が縮小された幅狭部２５ｉが形成されている。この幅狭部２５ｉの幅寸法（奥行寸法）は、アーム２１を構成する、対向する２枚の板状体の間隔（内寸法）よりも小さく形成されている。この幅狭部２５ｉの形成により、図６に示すように、一時固定手段２５とアーム２１とが重なり合う場合でも、両者間に隙間が保たれる。よって、戸体１１あるいは戸枠１２に発生する反りやひずみをこの隙間に相当する遊びで吸収でき、アーム２１の動作不良を防止することができたものである。
【００５６】
ここで、図９に示すように、閉鎖装置本体２ａと一時固定手段２５とが、図３に示したものよりも上下方向に接近して配位された場合、一時固定手段２５の右下方壁２５ｄにアーム２１の固定部２１ｂが当接しつつ、アーム２１が図示左方に移動する際において、アーム２１は通常の開放位置Ｏよりも左方に移動させられる。よって、ダンパー２４の可動棒２４ａが、図３に示された状態に比べ、より引き出されることとなる。この可動棒２４ａが限界を超えて引き出されようとすると、ダンパー２４が故障する原因となる。そのため、ケーシング２２には開放側ストッパー２２ａが設けられており、アーム２１の一部がこの開放側ストッパー２２ａに当接することにより、アーム２１がそれ以上移動することを防止している。本例においては、ケーシング２２のうち、図示左側の一部が開放側ストッパー２２ａを兼ねるものとされているが、ケーシング２２とは他の部材を設けたものとしても良い。
また、上記と同様にして、アーム２１が通常の閉鎖位置Ｃよりも図示右方に移動し、ダンパー２４が故障することのないように、閉鎖側ストッパー２２ｂが設けられている。本例では、ケーシング２２のうち、図示右側の一部が閉鎖側ストッパー２２ｂを兼ねるものとされている。
【００５７】
次に、戸体１１の開閉動作に伴う、閉鎖装置２の動作について述べる。
戸体１１が開放位置から閉鎖位置へと移動するに伴い、アーム２１は、図３に示された状態から、図５に示すように、固定部２１ｂが一時固定手段２５のアーム固定溝２５ｃに配位された状態となる。ここで、閉鎖装置本体２ａが設けられた戸体１１はさらに閉鎖位置（図示左方）に移動しようとするため、アーム２１の固定部２１ｂは一時固定手段２５の左方壁２５ａに衝突することとなる。これにより、板ばね２７の湾曲部２７ａとアーム２１の係合部２６ａとの係合が外れる。更に、戸体１１の図示左方への移動によって、アーム２１が閉鎖位置Ｃの側（図示右方）に移動する。この状態で、アーム２１の回動軸２１ａよりも付勢手段２３の中心を通る仮想の軸が右方に移動するため、付勢手段２３の付勢力がアーム２１に働き、アーム２１が開放位置Ｏから閉鎖位置Ｃへ向かい回動を開始する。このアーム２１の回動の際、固定部２１ｂは、一時固定手段２５の左方壁２５ａと右方壁２５ｂとに挟まれた状態となって、左右方向には不動で、上下方向にのみ移動が可能となる。これにより、固定部２１ｂが一時固定手段２５に保持されたまま、具体的には、右方壁２５ｂに当接したままで、図５から図６に示す状態となるように、アーム２１が回動することとなる。つまり、この右方壁２５ｂは、アーム２１の固定部２１ｂを支持するための支点部として理解できる。
このアーム２１の回動に伴い、閉鎖装置本体２ａが設けられた戸体１１が図示左方に移動して戸体１１を閉鎖することができる（図７参照）。上記のアーム２１の回動は、付勢手段２３の付勢力及びダンパー２４の緩衝作用を受けつつ、閉鎖位置Ｃまで自動的になされるため、戸体１１を閉鎖するために加えられた外力が弱い場合であっても、アーム２１を確実に閉鎖位置Ｃまで回動させて、戸体１１を完全に閉鎖することができる。
【００５８】
一方、上記とは逆に戸体１１を開放する際においても、戸体１１の閉鎖位置から開放に至る途中の位置までは、上記と同様にして、一時固定手段２５がアーム２１の固定部２１ｂを保持したままの状態を維持する。そのため上記とは逆に、固定部２１ｂが一時固定手段２５の左方壁２５ａに当接した状態で、戸体１１の開放方向への移動に伴なってアーム２１が閉鎖位置Ｃ（図示右方）から開放位置Ｏ（図示左方）へと回動する（図７から図６を経て図５に至る状態）。ここで、板ばね２７の湾曲部２７ａとアーム２１の係合部２６ａとが係合し、アーム２１が、図３に示した当初の状態で固定される。なお、この状態では、既に説明したように、アーム２１の回動軸２１ａと付勢手段２３の中心を通る仮想の軸とがほぼ一致しているため、アーム２１は付勢手段２３によって付勢されていない中立状態にあって、この板ばね２７の湾曲部２７ａとアーム２１の係合部２６ａとの係合だけで、アーム２１が元に戻ってしまうことを防止できる。
そしてアーム２１は、図５に示すように左方まで移動した状態で、固定部２１ｂが一時固定手段２５の導入斜面２５ｅの下方を通過して一時固定手段２５の右方に移動し、戸体１１が開放される。
【００５９】
なお、図９に示すように、閉鎖装置本体２ａと一時固定手段２５とが、図３に示したものよりも上下方向に接近して配位された場合は、既に述べたように、一時固定手段２５の右下方壁２５ｄにアーム２１の固定部２１ｂが当接する際に、アーム２１が通常の開放位置Ｏ（図３参照）よりも、さらに左方に移動させられる。この際、アーム２１の回動軸２１ａよりも付勢手段２３の中心を通る仮想の軸が左方となるため、付勢手段２３の付勢力はアーム２１に対して、左側へ回動させるように働く。また、板ばね２７の湾曲部２７ａはアーム２１の係合部２６ａから外れた状態で、係合片２６に板ばね２７が当接する。
ここで、付勢手段２３の付勢力よりも板ばね２７のアーム２１に対する付勢力が勝る場合にあっては、板ばね２７の付勢力は、上記の係合片２６との位置関係により、図示右方へと働く。よって、図３に示したように、アーム２１と一時固定手段２５とが当接しなくなった際、アーム２１が通常の開放位置Ｏに戻った状態とされ、板ばね２７の湾曲部２７ａとアーム２１の係合部２６ａとが係合する。この場合、アーム２１の固定部２１ｂは、図９に破線で示したように、一時固定手段２５の導入斜面２５ｅに沿うように移動して、
アーム２１が図示左方に行き過ぎた状態から開放位置Ｏへと戻る。
なお、上記とは逆に、板ばね２７の付勢力よりも付勢手段２３の付勢力が勝る場合は、板ばね２７の湾曲部２７ａが、アーム２１の係合部２６ａとの係合が外れた状態のまま維持されてしまうが、この状態であっても、付勢手段２３がアーム２１を図示左方へと付勢し続けるため、実用上は差し支えない。
【００６０】
本願発明は、本例の形態に限られず、種々に変更して実施が可能である。
本例においては、戸体１１に閉鎖装置本体２ａを設け、戸枠１２に一時固定手段２５を設けたものとしたが、これとは逆に、戸体１１に一時固定手段２５を設け、戸枠１２に閉鎖装置本体２ａを設けたものとしても良い。
また、戸体１１の戸枠１２に対する閉鎖位置及び開放位置は、場合により種々に変更して設定が可能である。よって、閉鎖時において、図７に示すような、戸体１１が全閉状態となるようにせずに、所定の隙間を保ったまま閉鎖されるように設定しても良い。
また、戸体１１は、下部に戸車を有するものであっても良いし、上部に戸車を有するものであり、この戸車で戸体１１を吊り下げる形態のものであっても良い。
【００６１】
また、この閉鎖装置２を戸体１１に対して取り付ける際において、特に開き戸形式の戸体１１に適用する場合など、戸体１１に閉鎖装置本体２ａを埋め込むことが困難な場合においては、本例のように閉鎖装置本体２ａが戸体１１に埋め込まれたものに限られず、戸体１１の表面に取り付けられたものとしても良い。よって、閉鎖装置２の無い通常の戸体１１に対して、後付改造により、この閉鎖装置２を容易に取り付けることも可能であり、汎用性の広い戸体閉鎖装置を提供できたものである。
【図面の簡単な説明】
【００６２】
【図１】引戸へ本例の閉鎖装置を取り付けた状態を示す正面視の概略図である。
【図２】（Ａ）は本例の戸体の上部を示す要部斜視図であり、（Ｂ）は木口カバーの他の実施例を示す斜視図である。
【図３】本例の戸体閉鎖装置の構造及び動作を示す、正面視説明図である。
【図４】形態の異なるケーシングを用いた戸体閉鎖装置を示す、正面視説明図である。
【図５】本例の戸体閉鎖装置の構造及び動作を示す、正面視説明図である。
【図６】本例の戸体閉鎖装置の構造及び動作を示す、正面視説明図である。
【図７】本例の戸体閉鎖装置の構造及び動作を示す、正面視説明図である。
【図８】本例の一時固定手段を示す図であり、（Ａ）は平面図、（Ｂ）は正面図、（Ｃ）は底面図、（Ｄ）は左側面図である。
【図９】本例の戸体閉鎖装置において、閉鎖装置本体と一時固定手段とが上下方向に接近している場合を示す正面視説明図である。
【図１０】本願発明の他の実施例を示す説明図である。
【図１１】本願発明の他の実施例を示す説明図である。
【図１２】（Ａ）は本願発明の他の実施例を示す説明図であり、（Ｂ）は（Ａ）のＡ−Ａ断面図である。
【図１３】本願発明の他の実施例を示す説明図である。
【図１４】本願発明の他の実施例を示す説明図である。
【符号の説明】
【００６３】
１１      戸体
１１ａ    戸体の開口側端面
１１ｂ    戸体の取付上面、取り付け溝の底面
１１ｃ    戸体の上端面
１２      戸枠
１２ａ    戸枠の端面
１３      取り付け溝
１４      木口カバー
２ａ      閉鎖装置本体
２１      アーム
２１ａ    回動軸
２１ｂ    固定部
２１ｃ    付勢手段取付部
２２      ケーシング
２２ａ    開放側ストッパー
２２ｂ    閉鎖側ストッパー
２３      付勢手段
２３ｂ    付勢手段の上端
２４      緩衝手段、ダンパー
２５      一時固定手段
２５ａ    第１壁、左方壁
２５ｂ    第２壁、右方壁
２５ｃ    アーム固定溝
２５ｆ    ベース部
２５ｆ１  当接面
２５ｆ３  ベース部の一端
２５ｇ    凹部、位置合わせ用溝
２６ａ    係合部
２７      アーム位置保持手段
２７ａ    湾曲部
Ｃ        アームの閉鎖位置
Ｏ        アームの開放位置
【図１】
0005401511.tif 000002
【図２】
0005401511.tif 000003
【図３】
0005401511.tif 000004
【図４】
0005401511.tif 000005
【図５】
0005401511.tif 000006
【図６】
0005401511.tif 000007
【図７】
0005401511.tif 000008
【図８】
0005401511.tif 000009
【図９】
0005401511.tif 000010
【図１０】
0005401511.tif 000011
【図１１】
0005401511.tif 000012
【図１２】
0005401511.tif 000013
【図１３】
0005401511.tif 000014
【図１４】
0005401511.tif 000015